(57)【要約】【課題】電源及び外部テレビアンテナを接続する壁面設置型の浴室用テレビ受像装置で、制御線や制御信号の入出力を行なう機器等の構成を簡略化しながら、外部機器から入力される映像音声信号の視聴を可能とする。【解決手段】浴室外に設置した外部入力ジャック13と有線接続され、外部入力ジャック13への信号を入力し、外部入力ジャック13への信号とテレビ電波からテレビチューナ33で復調する映像音声信号の一方を切換選択する入力切換回路31と、外部入力ジャック13からの入力を検出する入力信号検出回路32とを備え、外部入力ジャック13からの信号入力を検出すると自動的にその入力信号に切換選択させる。【選択図】      図４
2005303382.tif 000002
【特許請求の範囲】
【請求項１】
電源及び外部テレビアンテナを接続する壁面設置型の浴室用テレビ受像装置であって、
浴室外に設置した外部入力端子と有線接続され、該外部入力端子に与えられる映像音声信号を入力する外部入力手段と、
この外部入力手段より入力される映像音声信号と上記外部テレビアンテナで受信したテレビ電波から復調する映像音声信号の一方を切換選択する選択手段と、
上記外部入力手段からの映像音声信号の入力を検出した際に上記選択手段による外部入力への切換を報知する報知手段と
を具備したことを特徴とする浴室用テレビ受像装置。
【請求項２】
電源及び外部テレビアンテナを接続する壁面設置型の浴室用テレビ受像装置であって、
浴室外に設置した外部入力端子と有線接続され、該外部入力端子に与えられる映像音声信号を入力する外部入力手段と、
この外部入力手段より入力される映像音声信号と上記外部テレビアンテナで受信したテレビ電波から復調する映像音声信号の一方を切換選択する選択手段と、
上記外部入力手段からの映像音声信号の入力を検出するとその外部入力手段から入力される映像音声信号を優先して上記選択手段で切換選択させる選択制御手段と
を具備したことを特徴とする浴室用テレビ受像装置。
【請求項３】
上記選択制御手段は、上記外部入力手段から入力される映像音声信号を上記選択手段で一度優先して切換選択させた後、外部入力手段から入力される映像音声信号への優先切換を停止することを特徴とする請求項２記載の浴室用テレビ受像装置。
【請求項４】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
この外部入力手段より入力される映像音声信号と上記外部テレビアンテナで受信したテレビ電波から復調する映像音声信号の一方を切換選択する選択手段と、
上記外部入力手段に接続される外部機器のリモコンのキー操作に対応したリモコンコード信号を記憶したリモコンコード記憶手段と、
上記外部機器の動作を指示する外部機器指示手段と、
この外部機器指示手段での指示内容に対応して上記リモコンコード記憶手段からリモコンコード信号を読出し、上記外部入力端子までの接続有線に対して発信する第１の発信手段と、
この第１の発信手段により上記接続有線から外部入力端子を介して発信されてきたリモコンコード信号に基づいて、上記外部入力端子に接続された外部機器に対する赤外光信号を発信する第２の発信手段と
を具備したことを特徴とする浴室用テレビ受像装置。
【請求項５】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
この外部入力手段より入力される映像音声信号と上記外部テレビアンテナで受信したテレビ電波から復調する映像音声信号の一方を切換選択する選択手段と、
このテレビ受像装置と上記外部機器の操作を兼ねたキー入力手段と、
上記外部機器の電源投入状態を検出した際に上記キー入力手段の操作により上記外部機器の動作を指示する外部機器指示手段と、
この外部機器指示手段での指示内容に対応して上記外部機器の操作信号を上記接続有線を介して上記外部入力端子に接続された当該外部機器まで発信する発信手段と
を具備したことを特徴とする浴室用テレビ受像装置。
【請求項６】
上記外部機器指示手段は、上記テレビ受像装置の電源切断に伴って上記外部機器の電源も切断させることを特徴とすることを特徴とする請求項５記載の浴室用テレビ受像装置。
【請求項７】
上記外部機器の電源投入を検出した際に外部機器からの映像音声信号を優先して上記選択手段で切換選択させる選択制御手段をさらに具備したことを特徴とする請求項５記載の浴室用テレビ受像装置。
【請求項８】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
この外部入力手段より入力される映像音声信号と上記外部テレビアンテナで受信したテレビ電波から復調する映像音声信号の一方を切換選択する選択手段と、
このテレビ受像装置と上記外部機器の操作を兼ねたキー入力手段と、
上記選択手段で外部入力手段からの映像音声信号を切換選択している状態で上記キー入力手段が操作された場合に、上記外部機器の動作を指示する外部機器指示手段と、
この外部機器指示手段での指示内容に対応して上記外部機器の操作信号を上記接続有線を介して上記外部入力端子に接続された当該外部機器まで発信する発信手段と
を具備したことを特徴とする浴室用テレビ受像装置。
【請求項９】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
この外部入力手段より入力される映像音声信号と上記外部テレビアンテナで受信したテレビ電波から復調する映像音声信号の一方を切換選択する選択手段と、
上記選択手段で外部入力手段からの映像音声信号を切換選択した場合に上記外部機器の電源投入を指示し、装置の電源切断に伴って上記外部機器の電源切断を指示する外部機器電源指示手段と、
この外部機器電源指示手段に対応して上記外部機器の電源投入信号及び電源切断信号を上記接続有線を介して上記外部入力端子に接続された当該外部機器まで発信する発信手段と
を具備したことを特徴とする浴室用テレビ受像装置。
【請求項１０】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
上記外部入力端子に接続する外部機器を複数候補の中から選択する選択手段と、
このテレビ受像装置と上記外部機器の操作を兼ねたキー入力手段と、
複数の外部機器のキー操作に対応した操作信号を記憶した操作信号記憶手段と、
上記キー入力手段での操作と上記選択手段で選択した外部機器とに対応して上記操作信号記憶手段から操作信号を読出し、上記接続有線を介して上記外部入力端子に接続された当該外部機器まで発信する発信手段と
を具備したことを特徴とする浴室用テレビ受像装置。
【請求項１１】
上記選択手段で選択した外部機器の情報を装置の電源切断後も記憶する外部機器記憶手段をさらに具備し、
上記発信手段は、この外部機器記憶手段に記憶された外部機器の情報に基づいて上記操作信号記憶手段から対応する操作信号を読出して発信する
ことを特徴とする請求項１０記載の浴室用テレビ受像装置。
【請求項１２】
上記外部機器に対して信号を発信する間、当該信号が重畳される接続有線に関連した映像及び音声の少なくとも一方の出力を制限するミュート手段をさらに具備したことを特徴とする請求項４，５，８，９，１０のいずれかに記載の浴室用テレビ受像装置。
【発明の詳細な説明】
【技術分野】
【０００１】
本発明は、電源及び外部テレビアンテナを接続する壁面設置型の浴室用テレビ受像装置に関する。
【背景技術】
【０００２】
従来、浴室の例えば内壁に防水機構を有するテレビ受像機を取付け固定し、このテレビ受像機に電源線とアンテナ線とを接続することで、浴室内においてもテレビ番組の視聴が可能な壁面設置型の浴室用テレビ受像機が製品化されていた。
【０００３】
一般にこの種の浴室用テレビ受像機は、同一家屋内にある他の外部機器、例えばビデオテープレコーダやＤＶＤプレーヤ、ＣＡＴＶ（ケーブルテレビジョン）網のＳＴＢ（セットトップボックス）等と接続することは考慮しておらず、それらの外部機器から、上記アンテナで受信されるテレビ番組以外の映像と音声の入力を供給して視聴することはできなかった。
【０００４】
また、浴室外に設置された主ＡＶ機器と浴室内に設置された副ＡＶ機器機器とを関連付けて制御する浴室用ＡＶ機器制御装置で、浴室内で、電池式で持ち運び自在でかつ学習記憶機能を有する防水性の浴室リモコンを操作することによって、主ＡＶ機器がコントロールされ該主ＡＶ機器に関連して副ＡＶ機器が制御されるようにした技術が考えられている。（例えば、特許文献１）
【特許文献１】特開２０００−３３３２６８号公報
【発明の開示】
【発明が解決しようとする課題】
【０００５】
上記特許文献１は、浴室外の主ＡＶ機器と浴室内の副ＡＶ機器とが有線接続されたものを対象として、さらに浴室リモコンでの操作に伴う赤外光は副ＡＶ機器とは別に設けられる受光器で受光され、これも有線接続された浴室外の発光器を介して、主ＡＶ機器に対してリモコン操作と同様の赤外光を発信するようにしたものである。
【０００６】
すなわち、特許文献１は、主ＡＶ機器とその出力装置である副ＡＶ機器とが有線接続される浴室用ＡＶ機器において、学習機能を有する防水性のリモコンの受光器と発光器でなる回路を単に並列に有線接続したものである。
【０００７】
これに対して、壁面設置型の浴室用テレビ受像機では、上述した如くテレビ番組の視聴のみを目的としているため、外部機器等の接続を考慮していない。また、仮に壁面設置型の浴室用テレビ受像機を外部機器と接続して、外部機器から供給される各種のビデオ信号を視聴する環境を実現したとしても、上記特許文献１で示した如く、外部機器を操作するために浴室内のリモコンの操作信号を浴室外の外部機器へ送信するための入出力機器や制御線等の敷設が必要となり、装置全体が複雑なものとなってしまう。
【０００８】
本発明は上記のような実情に鑑みてなされたもので、その目的とするところは、できる限り各種の制御線や制御信号の入出力を行なう機器等の構成を簡略化しながらも、外部機器から入力される映像音声信号の視聴を可能とした壁面設置型の浴室用テレビ受像装置を提供することにある。
【課題を解決するための手段】
【０００９】
請求項１記載の発明は、電源及び外部テレビアンテナを接続する壁面設置型の浴室用テレビ受像装置であって、浴室外に設置した外部入力端子と有線接続され、該外部入力端子に与えられる映像音声信号を入力する外部入力手段と、この外部入力手段より入力される映像音声信号と上記外部テレビアンテナで受信したテレビ電波から復調する映像音声信号の一方を切換選択する選択手段と、上記外部入力手段からの映像音声信号の入力を検出した際に上記選択手段による外部入力への切換を報知する報知手段とを具備したことを特徴とする。
【００１０】
請求項２記載の発明は、電源及び外部テレビアンテナを接続する壁面設置型の浴室用テレビ受像装置であって、浴室外に設置した外部入力端子と有線接続され、該外部入力端子に与えられる映像音声信号を入力する外部入力手段と、この外部入力手段より入力される映像音声信号と上記外部テレビアンテナで受信したテレビ電波から復調する映像音声信号の一方を切換選択する選択手段と、上記外部入力手段からの映像音声信号の入力を検出するとその外部入力手段から入力される映像音声信号を優先して上記選択手段で切換選択させる選択制御手段とを具備したことを特徴とする。
【００１１】
請求項３記載の発明は、上記請求項２記載の発明において、上記選択制御手段は、上記外部入力手段から入力される映像音声信号を上記選択手段で一度優先して切換選択させた後、外部入力手段から入力される映像音声信号への優先切換を停止することを特徴とする。
【００１２】
請求項４記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、この外部入力手段より入力される映像音声信号と上記外部テレビアンテナで受信したテレビ電波から復調する映像音声信号の一方を切換選択する選択手段と、上記外部入力手段に接続される外部機器のリモコンのキー操作に対応したリモコンコード信号を記憶したリモコンコード記憶手段と、上記外部機器の動作を指示する外部機器指示手段と、この外部機器指示手段での指示内容に対応して上記リモコンコード記憶手段からリモコンコード信号を読出し、上記外部入力端子までの接続有線に対して発信する第１の発信手段と、この第１の発信手段により上記接続有線から外部入力端子を介して発信されてきたリモコンコード信号に基づいて、上記外部入力端子に接続された外部機器に対する赤外光信号を発信する第２の発信手段とを具備したことを特徴とする。
【００１３】
請求項５記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、この外部入力手段より入力される映像音声信号と上記外部テレビアンテナで受信したテレビ電波から復調する映像音声信号の一方を切換選択する選択手段と、このテレビ受像装置と上記外部機器の操作を兼ねたキー入力手段と、上記外部機器の電源投入状態を検出した際に上記キー入力手段の操作により上記外部機器の動作を指示する外部機器指示手段と、この外部機器指示手段での指示内容に対応して上記外部機器の操作信号を上記接続有線を介して上記外部入力端子に接続された当該外部機器まで発信する発信手段とを具備したことを特徴とする。
【００１４】
請求項６記載の発明は、上記請求項５記載の発明において、上記外部機器指示手段は、上記テレビ受像装置の電源切断に伴って上記外部機器の電源も切断させることを特徴とすることを特徴とする。
【００１５】
請求項７記載の発明は、上記請求項５記載の発明において、上記外部機器の電源投入状態を検出した際に外部機器からの映像音声信号を優先して上記選択手段で切換選択させる選択制御手段をさらに具備したことを特徴とする。
【００１６】
請求項８記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、この外部入力手段より入力される映像音声信号と上記外部テレビアンテナで受信したテレビ電波から復調する映像音声信号の一方を切換選択する選択手段と、このテレビ受像装置と上記外部機器の操作を兼ねたキー入力手段と、上記選択手段で外部入力手段からの映像音声信号を切換選択している状態で上記キー入力手段が操作された場合に、上記外部機器の動作を指示する外部機器指示手段と、この外部機器指示手段での指示内容に対応して上記外部機器の操作信号を上記接続有線を介して上記外部入力端子に接続された当該外部機器まで発信する発信手段とを具備したことを特徴とする。
【００１７】
請求項９記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、この外部入力手段より入力される映像音声信号と上記外部テレビアンテナで受信したテレビ電波から復調する映像音声信号の一方を切換選択する選択手段と、上記選択手段で外部入力手段からの映像音声信号を切換選択した場合に上記外部機器の電源投入を指示し、装置の電源切断に伴って上記外部機器の電源切断を指示する外部機器電源指示手段と、この外部機器電源指示手段に対応して上記外部機器の電源投入信号及び電源切断信号を上記接続有線を介して上記外部入力端子に接続された当該外部機器まで発信する発信手段とを具備したことを特徴とする。
【００１８】
請求項１０記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、上記外部入力端子に接続する外部機器を複数候補の中から選択する選択手段と、このテレビ受像装置と上記外部機器の操作を兼ねたキー入力手段と、複数の外部機器のキー操作に対応した操作信号を記憶した操作信号記憶手段と、上記キー入力手段での操作と上記選択手段で選択した外部機器とに対応して上記操作信号記憶手段から操作信号を読出し、上記接続有線を介して上記外部入力端子に接続された当該外部機器まで発信する発信手段とを具備したことを特徴とする。
【００１９】
請求項１１記載の発明は、上記請求項１０記載の発明において、上記選択手段で選択した外部機器の情報を装置の電源切断後も記憶する外部機器記憶手段をさらに具備し、上記発信手段は、この外部機器記憶手段に記憶された外部機器の情報に基づいて上記操作信号記憶手段から対応する操作信号を読出して発信することを特徴とする。
【００２０】
請求項１２記載の発明は、上記請求項４，５，８，９，１０のいずれかに記載の発明において、上記外部機器に対して信号を発信する間、当該信号が重畳される接続有線に関連した映像及び音声の少なくとも一方の出力を制限するミュート手段をさらに具備したことを特徴とする。
【発明の効果】
【００２１】
請求項１記載の発明によれば、外部機器から映像音声信号が供給されている場合にはこれを報知することで、報知にしたがって手動操作することで速やかにその映像音声信号を視聴することが可能となり、且つ外部機器からの映像音声信号の入力を検出する回路は装置内に設けることができるため、装置と外部機器との接続有線以外に制御線等を必要とせず、非常に簡単な回路構成で実現できる。
【００２２】
請求項２記載の発明によれば、外部機器から映像音声信号が供給されている場合にはこの供給されている映像補正信号を選択するべく自動的に切換えることで、速やかにその映像音声信号を視聴することが可能となり、且つ外部機器からの映像音声信号の入力を検出する回路は装置内に設けることができるため、装置と外部機器との接続有線以外に制御線等を必要とせず、非常に簡単な回路構成で実現できる。
【００２３】
請求項３記載の発明によれば、上記請求項２記載の発明の効果に加えて、ユーザの意図を反映して外部機器からの映像音声信号以外を視聴したい場合でもわざわざ浴室外の外部機器の電源を切断する手間をかける必要がなく、手軽に視聴したい内容を選択できる。
【００２４】
請求項４記載の発明によれば、装置側のリモコンまたは装置本体のキーを操作することで外部機器も遠隔操作することができ、且つ外部機器を遠隔操作させるためのリモコンコード信号は映像音声信号を入力する接続有線を介して発信されるため、装置と外部機器とを接続する制御線等を必要とせず、全体の構成を簡略化できる。
【００２５】
請求項５記載の発明によれば、外部機器が電源投入されている状態では兼用キーの操作により外部機器の動作を遠隔制御可能とし、且つ外部機器を遠隔制御させるための操作信号は例えば印加する直流電圧値により動作を制御するものとして映像音声信号を入力する接続有線を介して発信されるため、装置と外部機器とを接続する制御線等も不要となり、全体の構成を簡略化できる。
【００２６】
請求項６記載の発明によれば、上記請求項５記載の発明の効果に加えて、装置の電源切断と共に外部機器の電源も併せて切断するものとしたので、ユーザの手間を省いてより使い勝手を向上することができる。
【００２７】
請求項７記載の発明によれば、上記請求項５記載の発明の効果に加えて、外部機器が電源投入されている場合にはこの外部機器からの映像補正信号を選択するべく自動的に切換えることで、速やかにその映像音声信号を視聴することが可能となる。
【００２８】
請求項８記載の発明によれば、外部機器から供給されている映像音声信号を視聴する選択がなされている状態では兼用キーの操作により外部機器の動作を遠隔制御可能とし、且つ外部機器を遠隔制御させるための操作信号は例えば印加する直流電圧値により動作を制御するものとして映像音声信号を入力する接続有線を介して発信されるため、装置と外部機器とを接続する制御線等も不要となり、全体の構成を簡略化できる。
【００２９】
請求項９記載の発明によれば、外部機器から供給されている映像音声信号を視聴する選択がなされた時点で自動的に外部機器の電源を投入し、また装置の電源を切断した時点で外部機器の電源も連動して切断するものとしたため、必要に応じて外部機器の電源投入と切断を自動化することができ、ユーザの手間を省いてより使い勝手を向上することができると共に、外部機器の電源を制御する信号は映像音声信号を入力する接続有線を介して発信されるため、装置と外部機器とを接続する制御線等も不要となり、全体の構成を簡略化できる。
【００３０】
請求項１０記載の発明によれば、予め設定された複数の外部機器の１つを選択しておくことで、その選択した外部機器から映像音声信号が供給されている状態では兼用キーの操作により外部機器の動作を遠隔制御可能とし、且つ外部機器を遠隔制御させるための操作信号は例えば印加する直流電圧値により動作を制御するものとして映像音声信号を入力する接続有線を介して発信されるため、装置と外部機器とを接続する制御線等も不要となり、全体の構成を簡略化できる。
【００３１】
請求項１１記載の発明によれば、上記請求項１０記載の発明の効果に加えて、一度外部機器を選択してしまえば２度目以降からその手間を簡略化でき、より使い勝手を向上することができる。
【００３２】
請求項１２記載の発明によれば、上記請求項４，５，８，９，１０のいずれかに記載の発明の効果に加えて、上記外部機器に対して発信する信号の影響で映像及び音声の少なくとも一方に悪影響が出るのを確実に抑制できる。
【発明を実施するための最良の形態】
【００３３】
（第１の実施の形態）  
以下本発明に係る浴室用液晶テレビ受像機の第１の実施の形態について図面を参照して説明する。
【００３４】
図１は、設置場所を含めた全体の構成を示すもので、１１が浴室ＢＲ内の壁面、バスタブＢＴの近傍に設置されたテレビ受像機である。このテレビ受像機１１に対して電源ボックス１２が例えば浴室ＢＲ天井部に設置され、テレビ受像機１１と電源ボックス１２間に浴室壁面の内側を介して３本のケーブルＣ１〜Ｃ３が敷設される。
【００３５】
これらケーブルＣ１〜Ｃ３のうち、第１のケーブルＣ１は電源線とし、図示しない近くのコンセントに接続される。第２のケーブルＣ２は、アンテナ線とし、これも図示しないテレビアンテナに接続される。
【００３６】
第３のケーブルＣ３は、この電源ボックス１２からこの浴室ＢＲの壁部外側を敷設、延在されて、例えば洗面所や脱衣所等のこの浴室ＢＲの隣室に設置された外部入力ジャック１３に接続される。
【００３７】
この外部入力ジャック１３には、このテレビ受像機１１のユーザの好みに応じた外部機器１４として、ここでは図示しないが例えばＤＶＤプレーヤやビデオテープレコーダ、地上波デジタルチューナやＣＡＴＶ網のＳＴＢ等が任意に接続される。
【００３８】
なお、このテレビ受像機１１は付属のリモコン１５ともども、例えばＪＩＳ保護等級６耐水形相当程度の防水構造をとっており、シャワー等がかかっても内部に水等が侵入しないものとなる。
【００３９】
図２は、上記テレビ受像機１１の外観構成を示すもので、前面の中央及び左側の大分部を映像を表示する液晶表示パネル２１が占める他、右側には電源キー、オートチューニング方式のチャンネルキー（ＵＰ／ＤＯＷＮ）、音量キー（＋／−）、明るさキー（＋／−）、「メニュー」キー、及び「外部入力」キーからなるキー入力部２２と、スピーカ２３とが配設され、さらに液晶表示パネル２１の下部には、付属のリモコン１５のキー操作に伴う赤外変調光を受光するためのリモコン受光部２４が配設される。
【００４０】
図３により上記外部入力ジャック１３の外観構成についても例示する。ここでは、標準的なピンジャックを用いたケーブルにより映像（Ｖｉｄｅｏ）信号と音声（Ａｕｄｉｏ）信号の左チャンネル（Ｌｃｈ）及び同右チャンネル（Ｒｃｈ）を接続してそれぞれを入力することが可能となるものとする。
【００４１】
続いて図４により主として上記テレビ受像機１１の入力切換系統に関する機能回路構成を説明する。
【００４２】
同図で、外部機器１４の各出力端子（Ｖｉｄｅｏ  Ｏｕｔ／Ａｕｄｉｏ  Ｌｃｈ  Ｏｕｔ／Ａｕｄｉｏ  Ｒｃｈ  Ｏｕｔ）がピンジャックを用いた標準的なＡＶケーブルで外部入力ジャック１３の各端子と接続され、外部入力ジャック１３とテレビ受像機１１の各入力端子（Ｖｉｄｅｏ  Ｉｎ／Ａｕｄｉｏ  Ｌｃｈ  Ｉｎ／Ａｕｄｉｏ  Ｒｃｈ  Ｉｎ）が上記ケーブルＣ３で接続される。
【００４３】
テレビ受像機１１内部では、ケーブルＣ３、外部入力ジャック１３を介して上記外部機器１４から入力された映像と音声の各信号が入力切換回路３１に供給されると共に、入力信号検出回路３２へも供給される。
【００４４】
入力切換回路３１にはまた、テレビチューナ３３から選局動作により復調されたテレビ放送の映像信号及びステレオ音声信号が入力されるもので、入力切換回路３１はこれらの入力のうちの一方を切換選択して上記液晶表示パネル２１とその駆動部とでなる表示部３４に映像信号を出力して表示させると共に、図示しない音声系の駆動回路に各音声信号を出力して、上記スピーカ２３より拡声放音させる。
【００４５】
入力信号検出回路３２は、ケーブルＣ３を介して外部機器１４からの映像信号及び各音声信号の少なくとも１つが入力されているか否かを検出するもので、その検出結果は上記入力切換回路３１に送られる。
【００４６】
なお、この図４では示さないが、テレビ受像機１１内には受像機全体の動作を司る、ＣＰＵと各種メモリ等でなる制御部を備えるもので、入力切換回路３１はこの制御部の制御の下に入力切換等の動作を実行する。
【００４７】
上記実施の形態の動作について説明する。  
図５は、テレビ受像機１１の電源を投入してテレビ放送の視聴を行なっている状態で、主として入力切換回路３１とこの入力切換回路３１を制御する制御部の外部入力に対する処理内容を示すものである。
【００４８】
その当初には、上記外部入力ジャック１３に外部機器１４が接続され、その電源が投入されて、映像信号とステレオの音声信号のいずれか少なくとも１つが入力されているか否かを入力信号検出回路３２からの検出結果により繰返し判断することにより、その入力があるのを待機する（ステップＡ０１）。
【００４９】
しかして、外部入力があると判断した時点で、外部入力への切換えを促す文字列からなるガイドメッセージ、例えば  
「外部接続された機器からの信号があります  
［外部入力］キーを押してください」  
をその時点で液晶表示パネル２１に表示しているテレビ放送の映像に重畳して表示させた上で（ステップＡ０２）、キー入力部２２の「外部入力」キーが操作されたか否かを判断する（ステップＡ０３）、といった処理を繰返し実行することで、「外部入力」キーが操作されるのを待機する。
【００５０】
そして、実際にキー入力部２２の「外部入力」キーが操作されると上記ステップＡ０３でこれを判断し、それまでテレビチューナ３３から供給されるテレビ放送の映像及び音声信号に代えて、外部入力ジャック１３より入力される外部機器１４の映像信号及び音声信号を切換選択して出力するべく入力切換回路３１を制御し、以上でこの図５の処理を終了する。
【００５１】
このように、外部入力ジャック１３に接続された外部機器１４からの信号が供給されている場合にはこれを報知することで、報知にしたがって手動操作することで速やかにその信号を視聴することが可能となる。
【００５２】
加えて、上記外部機器１４からの信号の入力を検出する入力信号検出回路３２はテレビ受像機１１内に設けることができるため、テレビ受像機１１と外部入力ジャック１３を接続するケーブルＣ３に制御線等を必要とせず、非常に簡単な回路構成で実現できる。
【００５３】
なお、上記外部機器１４からの入力により切換えを促す手段としては、上述した如く液晶表示パネル２１で文字列によるガイドメッセージを表示する、所謂ＯＳＤ（オン・スクリーン・ディスプレイ）によるものではなく、テレビ受像機１１にＬＥＤ等のインジケータを設けてこれを点灯あるいは点滅させるものとしてもよい。
【００５４】
また、上記動作例では外部機器１４からの入力信号に応じて切換えを促すべく報知するものとして説明したが、単に切換えを促す報知を行なうだけでなく、自動的に切換え動作を実行するものとしてもよい。
【００５５】
以下、そのような制御内容を本実施の形態の他の動作例として説明する。  
図６は、テレビ受像機１１の電源を投入してテレビ放送の視聴を行なっている状態で、主として入力切換回路３１とこの入力切換回路３１を制御する制御部の外部入力に対する処理内容を示すものである。
【００５６】
その当初には、上記外部入力ジャック１３に外部機器１４が接続され、その電源が投入されて、映像信号とステレオの音声信号のいずれか少なくとも１つが入力されているか否かを入力信号検出回路３２からの検出結果により繰返し判断することにより、その入力があるのを待機する（ステップＢ０１）。
【００５７】
しかして、外部入力があると判断した時点で、それまでテレビチューナ３３から供給されるテレビ放送の映像及び音声信号に代えて、外部入力ジャック１３より入力される外部機器１４の映像信号及び音声信号を切換選択して出力するべく入力切換回路３１を制御する（ステップＢ０２）。
【００５８】
併せて、その時点で入力信号検出回路３２の動作を一時的に停止させる設定を行なった後（ステップＢ０３）、以後キー入力部２２の「外部入力」キーが操作されたか否か（ステップＢ０４）を繰返し判断することで、入力切換の操作がユーザによりなされるのを待機する。
【００５９】
しかして、キー入力部２２の「外部入力」キーが操作されるとステップＢ０４でこれを判断し、その直前に外部入力ジャック１３に接続された外部機器１４からの信号を出力したのであればテレビ放送の視聴に、またその直前にテレビ放送の視聴を行なっていたのであれば外部入力ジャック１３に接続された外部機器１４からの信号を出力するというように入力切換えの設定を実行した上で（ステップＢ０５）、再度「外部入力」キーが操作されるのを待機するべくステップＢ０４からの処理に戻る。
【００６０】
このように、外部入力ジャック１３に接続されたなんらかの外部機器１４から信号が供給されている場合にはこの供給されている信号を選択するべく自動的に切換えることで、速やかにその信号を視聴することが可能となり、且つ外部機器１４からの信号の入力を検出する入力信号検出回路３２はテレビ受像機１１の内部に設けることができるため、テレビ受像機１１と外部入力ジャック１３とを接続するケーブルＣ３に制御線等を必要とせず、非常に簡単な回路構成で実現できる。
【００６１】
加えて、一旦外部機器１４からの信号の入力に応じて切換選択した後は、あえて入力信号検出回路３２の動作を停止させるものとしたので、例えばユーザがやはり外部機器１４回線の信号ではなくテレビ放送の視聴を行ないたい場合など、外部機器１４からの信号への切換状態を解除したい場合に、浴室ＢＲから一旦出て外部機器１４の電源を切断する、などといった煩雑な手間をかける必要もなく、単純にキー入力部２２の「外部入力」キーを再度操作するだけで入力切換えが実行できる。
【００６２】
なお、上記動作の説明では、外部機器１４の具体的な構成については明言していないが、上述した如くＤＶＤプレーヤやビデオテープレコーダ、地上波デジタルチューナやＣＡＴＶ網のＳＴＢ等の映像信号と音声信号を同時に供給するもののみならず、例えば音声の記録に対応していないデジタルカメラやコンパクトディスクプレーヤ、あるいはカメラ付き携帯電話機で画像または音声の出力機能に対応しているもの等、映像信号と（モノラル／ステレオに拘わらず）音声信号の少なくとも１つを出力できるものであればよい。
【００６３】
（第２の実施の形態）  
以下本発明に係る浴室用液晶テレビ受像機の第２の実施の形態について図面を参照して説明する。
【００６４】
なお、設置場所を含めた全体の構成については上記図１と、テレビ受像機の外観構成については上記図２と、また外部入力ジャックの外観構成については上記図３とそれぞれ基本的に同様であるものとし、同一部分には同一符号を用いるものとしてそれらの図示と説明とを省略する。
【００６５】
図７は、主として上記テレビ受像機１１の外部機器１４に対するリモコン操作に関する機能回路構成を示すものである。  
同図で、外部機器１４の各出力端子（Ｖｉｄｅｏ  Ｏｕｔ／Ａｕｄｉｏ  Ｌｃｈ  Ｏｕｔ／Ａｕｄｉｏ  Ｒｃｈ  Ｏｕｔ）がピンジャックを用いた標準的なＡＶケーブルＣ４で外部入力ジャック１３の各端子と接続され、外部入力ジャック１３とテレビ受像機１１の各入力端子（Ｖｉｄｅｏ  Ｉｎ／Ａｕｄｉｏ  Ｌｃｈ  Ｉｎ／Ａｕｄｉｏ  Ｒｃｈ  Ｉｎ）が上記ケーブルＣ３で接続される。
【００６６】
ここで、外部入力ジャック１３と外部機器１４間を接続するＡＶケーブルＣ４の例えば音声左チャンネル（Ａｕｄｉｏ  Ｌｃｈ）の信号線と音声右チャンネル（Ａｕｄｉｏ  Ｒｃｈ）の信号線には、本来の信号伝送に必要な通過周波数を満足する値より大きな容量のコンデンサＣ０１，Ｃ０２が配設される。
【００６７】
加えて、該コンデンサＣ０１と外部入力ジャック１３の音声左チャンネルの入力端子との間がカソードに接続され、該コンデンサＣ０２と外部入力ジャック１３の音声右チャンネルの入力端子との間がアノードに接続された赤外ＬＥＤ４０を設け、この赤外ＬＥＤ４０を外部機器１４のリモコン受光部を構成する受光素子１４ａの近傍に相対向するように設置する。
【００６８】
一方、テレビ受像機１１の内部において、音声左チャンネル（Ａｕｄｉｏ  Ｌｃｈ）の信号線と音声右チャンネル（Ａｕｄｉｏ  Ｒｃｈ）の信号線には、本来の信号伝送に必要な通過周波数を満足する値より大きな容量のコンデンサＣ０３，Ｃ０４が配設される。
【００６９】
加えて、該コンデンサＣ０３と入力端子の間がＬＥＤドライバ４１に掃引接続され、該コンデンサＣ０４と入力端子間に上記ＬＥＤドライバ４１の駆動信号が印加される。
【００７０】
このＬＥＤドライバ４１は、このテレビ受像機１１全体の動作制御を司る制御部の主構成要素であるＣＰＵ４２に駆動制御されて、上記赤外ＬＥＤ４０で赤外変調光を発信させるものであり、上記ＣＰＵ４２には、リモコンコード記憶部４３及び上記キー入力部２２とリモコン１５の各キーの一部でなる兼用キー４４が接続される。
【００７１】
リモコンコード記憶部４３は、複数のメーカ及び複数の外部機器に対応したリモコンコード信号を予め記憶したものであり、メーカ名及び外部機器名を選択することで、必要なリモコンコード信号を読出すことができる。
【００７２】
兼用キー４４は、上記キー入力部２２とリモコン１５の一部を外部機器１４の遠隔操作にも機能するものとして別称したものであり、例えば外部機器１４がＤＶＤプレーヤであるときに、「（チャンネル）アップ」キーを「次チャプタ」キーとして使用するものである。
【００７３】
上記実施の形態の動作について説明する。  
図８は、ユーザが任意の外部機器１４をＡＶケーブルＣ４を用いて外部入力ジャック１３に接続するにあたって、そのリモコンコードを設定する際の操作手順を示すもので、主としてＣＰＵ４２の制御の下に実行される。
【００７４】
同図は、キー入力部２２の「メニュー」キーを操作して各種動作メニュー項目を液晶表示パネル２１に表示させた後、その中から「外部機器リモコン設定」の項目を選択した場合に実行されるものである。
【００７５】
その当初には、液晶表示パネル２１に外部機器の種類を一覧表示した上で（ステップＳ０１）、その表示された種類の中から１つが選択されたか否か（ステップＳ０２）、またはその画面に表示されていない他の種類を要求しているか否か（ステップＳ０３）を繰返し判断することで、それらのキー操作がなされるのを待機する。
【００７６】
この場合、例えば液晶表示パネル２１の始めの画面で「ＤＶＤプレーヤ」「ビデオテープレコーダ」「地上波デジタルチューナ」「次の種類へ」を表示し、「ＤＶＤプレーヤ」「ビデオテープレコーダ」「地上波デジタルチューナ」のうちの１つが選択されると、外部機器１４の種類が選択されたこととなる一方、「次の種類へ」が選択されると、画面が切り換えられて、例えば「ビデオムービーカメラ」「ＣＤプレーヤ」「その他」「前の種類へ」等が表示されることとなる（ステップＳ０４）。
【００７７】
しかして、表示された外部機器１４の種類が選択されるとステップＳ０２でこれを判断し、次にその種類が選択された外部機器１４の製造メーカ名を一覧表示した上で（ステップＳ０５）、その表示されたメーカ名の中から１つが選択されたか否か（ステップＳ０６）、またはその画面に表示されていない他のメーカ名を要求しているか否か（ステップＳ０７）を繰返し判断することで、それらのキー操作がなされるのを待機する。
【００７８】
ここでは、種類が選択された外部機器１４に対応して例えば液晶表示パネル２１の始めの画面で「Ａ社」「Ｂ社」「Ｃ社」「次のメーカ名へ」を表示し、「Ａ社」「Ｂ社」「Ｃ社」のうちの１つが選択されると、外部機器１４の製造メーカが選択されたこととなる一方、「次のメーカ名へ」が選択されると、画面が切り換えられて、例えば「Ｄ社」「Ｅ社」「その他」「前のメーカ名へ」等が表示されることとなる（ステップＳ０８）。
【００７９】
しかして、表示された製造メーカ名が選択されるとステップＳ０６でこれを判断し、以上、選択された外部機器１４の種類及び製造メーカ名によりリモコンコード記憶部４３から、キー入力部２２及びリモコン１５の一部を利用する兼用キー４４として操作が可能な範囲の、主要なリモコンコード信号の体系を読出して記憶設定し（ステップＳ０９）、以上でこの図８の処理を終了する。
【００８０】
このように外部機器１４のリモコンコード設定を終了した後、兼用キー４４を操作すると、その操作されたキーに対応するリモコンコードがＣＰＵ４２により読出され、ＣＰＵ４２は読出したリモコンコードに基づいて上記ＬＥＤドライバ４１を駆動させる。
【００８１】
このＬＥＤドライバ４１の駆動により発信されたリモコンコード信号は、上記コンデンサＣ３，Ｃ４により直流成分がカットされることでテレビ受像機１１内部の音声処理系の図示しない回路に伝播されることはなく、同時に外部入力ジャック１３とＡＶケーブルＣ４を介して上記コンデンサＣ０１，Ｃ０２により直流成分がカットされることで外部機器１４側へ伝播されることもなしに、赤外ＬＥＤ４０を発光駆動して所望の赤外変調光を外部機器１４の受光素子１４ａで受光させることになる。
【００８２】
したがって、テレビ受像機１１側のリモコン１５または装置本体のキー入力部２２のキーを操作することで、外部入力ジャック１３に接続された外部機器１４も遠隔操作することができ、且つ外部機器１４を遠隔操作させるためのリモコンコード信号は映像音声信号を入力するケーブルＣ３から外部入力ジャック１３とＡＶケーブルＣ４を経由して発信されるため、特別にテレビ受像機１１と外部機器１４とを接続する制御線等を必要とせず、全体の構成を簡略化できる。
【００８３】
なお、この実施の形態の場合、上記テレビ受像機１１のリモコンコード記憶部４３に、予め外部機器の種類と製造メーカ名とで規定されるリモコンコードの信号体系を記憶している場合について説明したが、記憶していない外部機器にあっては、例えば上記テレビ受像機１１に学習リモコン機能を備えていて、外部機器１４のリモコンコードを新たに記憶できるようにすればよい。
【００８４】
また、上記ＬＥＤドライバ４１がケーブルＣ３、外部入力ジャック１３、及びＡＶケーブルＣ４を介して発するリモコンコード信号により赤外ＬＥＤ４０を発光駆動させる際、その直流成分は上記コンデンサＣ０１〜Ｃ０４によりカットされるものとして説明したが、該リモコンコード信号はパルス状の波形を有するものであり、同一ケーブル上で重畳される音声信号に悪影響を与え、テレビ受像機１１のスピーカ２３より出力される際にはなんらかの雑音が発生することも考えられるので、ＣＰＵ４２がＬＥＤドライバ４１によりリモコンコード信号を発信させるに際してはその直前より出力する音声にミューティングをかけて、スピーカ２３より出力される音声のレベルを低下あるいは一時的に遮断し、リモコンコードを発信して対応する動作が外部機器１４側で実行された時点で、当該ミューティングを解除するものとしてもよい。
【００８５】
この点は、リモコンコード信号を音声信号ではなく映像信号に重畳する場合も同様であり、リモコンコード信号を発信してから対応する動作が外部機器１４側で実行されるまでの間、出力する映像信号の輝度レベルを一時的に低下させるか、あるいは完全に遮断してブルーバック画面等を表示させるものとしてもよい。
【００８６】
図９は、このようなケーブル接続を行なう同実施の形態に係る具体的な他の構成例を示すものである。同図では、外部入力ジャック１３と外部機器１４間を接続するＡＶケーブルＣ４が３本の同軸ケーブルＣ４ａ〜Ｃ４ｃから構成され、その中の特に映像（Ｖｉｄｅｏ）信号線となる同軸ケーブルＣ４ａに対し、その中心導体及び外部導体と外部機器１４の映像信号の出力端子との間に、本来の信号伝送に必要な通過周波数を満足する値より大きな容量のコンデンサＣ１１，Ｃ１２を配設させる。
【００８７】
加えて、この同軸ケーブルＣ４ａの中心導体がカソードに接続され、外部導体がアノードに接続された赤外ＬＥＤ４０を設け、この赤外ＬＥＤ４０を外部機器１４のリモコン受光部を構成する受光素子１４ａの近傍に相対向するように設置する。
【００８８】
一方、テレビ受像機１１と外部入力ジャック１３とを接続するケーブルＣ３も３本の同軸ケーブルＣ３ａ〜Ｃ３ｃから構成されるものとし、その中の特に映像（Ｖｉｄｅｏ）信号線となる同軸ケーブルＣ３ａに対し、その中心導体及び外部導体とテレビ受像機１１側の入力端子との間に、本来の信号伝送に必要な通過周波数を満足する値より大きな容量のコンデンサＣ１３，Ｃ１４を配設させる。
【００８９】
さらに、該同軸ケーブルＣ３ａの外部導体がここでは図示しない上記ＬＥＤドライバ４１に掃引接続され、中心導体にＬＥＤドライバ４１の駆動信号が印加されるものとする。
【００９０】
このような構成とした場合、テレビ受像機１１側から発信されたリモコンコード信号はケーブルＣ３中の同軸ケーブルＣ３ａ、外部入力ジャック１３、ＡＶケーブルＣ４中の同軸ケーブルＣ４ａを介して赤外ＬＥＤ４０を発光駆動することとなる。
【００９１】
したがって、同軸ケーブルＣ４ａ、Ｃ３ａを介して伝送される外部機器１４からの映像信号にノイズが乗ってテレビ受像機１１の液晶表示パネル２１で表示される映像に悪影響が発生するのを確実に回避するために、テレビ受像機１１がリモコンコード信号を発信してから対応する動作が外部機器１４側で実行されるまでの間、テレビ受像機１１は液晶表示パネル２１で出力する映像の輝度レベルを一時的に低下させるか、あるいは完全に遮断してブルーバック画面等を表示させるものとしてもよい。
【００９２】
（第３の実施の形態）  
以下本発明に係る浴室用液晶テレビ受像機の第３の実施の形態について図面を参照して説明する。
【００９３】
なお、設置場所を含めた全体の構成については上記図１と、テレビ受像機の外観構成については上記図２と、また外部入力ジャックの外観構成については上記図３とそれぞれ基本的に同様であるものとし、同一部分には同一符号を用いるものとしてそれらの図示と説明とを省略する。
【００９４】
図１０は、テレビ受像機１１と、このテレビ受像機１１の専用となる外部機器１４′とを接続するケーブルの具体的な構成例を示すものである。  
同図で、外部入力ジャック１３（図示せず）とテレビ受像機１１を接続するケーブルＣ３は３本の同軸ケーブルＣ３ａ〜Ｃ３ｃから構成され、その中の特に音声左チャンネル（Ａｕｄｉｏ  Ｌｃｈ）の同軸ケーブルＣ３ｂの中心導体及び外部導体と、テレビ受像機１１の当該入力端子との間に、本来の信号伝送に必要な通過周波数を満足する値より大きな容量のコンデンサＣ２１，Ｃ２２を直流成分をカットするものとして配設させる。
【００９５】
同様に、音声右チャンネル（Ａｕｄｉｏ  Ｒｃｈ）の同軸ケーブルＣ３ｃの中心導体及び外部導体と、テレビ受像機１１の当該入力端子との間に、本来の信号伝送に必要な通過周波数を満足する値より大きな容量のコンデンサＣ２３，Ｃ２４を直流成分をカットするものとして配設させる。
【００９６】
また、外部入力ジャック１３（図示せず）と専用外部機器１４′を接続するＡＶケーブルＣ４も３本の同軸ケーブルＣ４ａ〜Ｃ４ｃから構成され、その中の特に音声左チャンネル（Ａｕｄｉｏ  Ｌｃｈ）用の同軸ケーブルＣ４ｂの中心導体及び外部導体と、専用外部機器１４′の当該出力端子との間に、本来の信号伝送に必要な通過周波数を満足する値より大きな容量のコンデンサＣ２５，Ｃ２６を直流成分をカットするものとして配設させる。
【００９７】
同様に、音声右チャンネル（Ａｕｄｉｏ  Ｒｃｈ）の同軸ケーブルＣ４ｃの中心導体及び外部導体と、専用外部機器１４′の当該出力端子との間に、本来の信号伝送に必要な通過周波数を満足する値より大きな容量のコンデンサＣ２７，Ｃ２８を直流成分をカットするものとして配設させる。
【００９８】
図１１は、このケーブルＣ３とＡＶケーブルＣ４の伝送信号に関する機能構成を示すもので、ＡＶケーブルＣ４を構成する音声左チャンネル（Ａｕｄｉｏ  Ｌｃｈ）用の同軸ケーブルＣ４ｂには専用外部機器１４′からその電源投入状態で“Ｈ”レベルとなる直流信号が重畳され、この信号が外部入力ジャック１３を介してケーブルＣ３を構成する同軸ケーブルＣ３ｂを介してテレビ受像機１１側へ入力される。
【００９９】
反対に、ケーブルＣ３を構成する音声右チャンネル（Ａｕｄｉｏ  Ｒｃｈ）用の同軸ケーブルＣ３ｃにはテレビ受像機１１から各種電圧値の直流信号が重畳され、この信号が外部入力ジャック１３を介してＡＶケーブルＣ４を構成する同軸ケーブルＣ４ｃを介して専用外部機器１４′側へ入力される。  
テレビ受像機１１は、コンデンサＣ２１，Ｃ２２でカットされる前の、同軸ケーブル３ｂを介して伝送されてくる専用外部機器１４′の電源投入状態に応じた直流信号のレベルを検出することで、専用外部機器１４′の電源が投入されているか否かをリアルタイムに判断することができる。
【０１００】
そして、専用外部機器１４′の電源が投入されていると判断した場合にテレビ受像機１１は、同軸ケーブルＣ３ｃを介して必要な電圧値によりリモコン１５またはキー入力部２２で操作されたキーに対応する操作信号を発信する。
【０１０１】
専用外部機器１４′は、コンデンサＣ２７，Ｃ２８でカットされる前の、同軸ケーブル４ｂを介して伝送されてくるテレビ受像機１１からの操作信号の直流電圧値を検出することで、その操作信号に対応した遠隔操作制御を実行する。
【０１０２】
上記実施の形態の動作について説明する。  
図１２は、テレビ受像機１１が動作中に、専用外部機器１４′の電源投入状態に応じて実行するリモコン１５とキー入力部２２の各キー操作に対応する処理内容である。
【０１０３】
その当初には、同軸ケーブル３ｂを介して伝送されてくる専用外部機器１４′の電源投入状態に応じた直流信号のレベルを検出し、専用外部機器１４′の電源が投入されているか否かを判断し（ステップＤ０１）、投入されていなければ次にリモコン１５またはキー入力部２２のキー操作がなされたか否かを判断する（ステップＤ０２）、という処理を繰返し実行することで、これらの状態となるのを待機する。
【０１０４】
この状態ではテレビ放送の視聴を行ない、リモコン１５またはキー入力部２２のキー操作がなされるとステップＤ０２でこれを判断して、対応するテレビ放送の視聴に関する処理を実行した後に再び上記ステップＤ０１からの処理に戻る。
【０１０５】
しかして、専用外部機器１４′の電源が投入され、同軸ケーブル３ｂを介して伝送されてくる直流信号が“Ｈ”レベルとなるとステップＤ０１でこれを判断し、キー入力部２２の「外部入力」キーの操作がなされずとも自動的に専用外部機器１４′からの映像と音声を視聴するべく切換選択を実行する（ステップＤ０４）。
【０１０６】
その後、今度は専用外部機器１４′の提供する映像と音声を視聴する状態となり、以後、リモコン１５またはキー入力部２２のキー操作がなされたか否かを判断し（ステップＤ０５）、操作されていなければ同軸ケーブル３ｂを介して伝送されてくる専用外部機器１４′の電源投入状態に応じた直流信号のレベルを検出し、専用外部機器１４′の電源が切断されたか否かを判断する（ステップＤ０６）、という処理を繰返し実行することで、これらの状態となるのを待機する。
【０１０７】
この専用外部機器１４′からの映像及び音声の視聴を行なっている状態で、リモコン１５またはキー入力部２２のキー操作がなされるとステップＤ０５でこれを判断して、対応する専用外部機器１４′の操作に関する処理、具体的には予め設定された電圧値の直流信号を上記同軸ケーブルＣ３ｃを介して出力する処理を実行した後に（ステップＤ０７）、上記ステップＤ０６に進む。
【０１０８】
しかして、専用外部機器１４′の電源が切断され、同軸ケーブル３ｂを介して伝送されてくる直流信号が“Ｌ”レベル（０［Ｖ］）となるとステップＤ０６でこれを判断し、キー入力部２２の「外部入力」キーの操作がなされずとも自動的にテレビ放送を視聴するべく切換選択を実行した上で（ステップＤ０８）、再び上記ステップＤ０１からの処理に戻る。
【０１０９】
このように、専用外部機器１４′の電源が投入されている状態では自動的にリモコン１５またはキー入力部２２を専用外部機器１４′のための操作キーとして専用外部機器１４′を遠隔制御することができる。
【０１１０】
加えて、専用外部機器１４′の電源が投入されているか否かを示す情報の入力、及び専用外部機器１４′の電源が投入されている場合の専用外部機器１４′への各種操作信号の出力を、いずれも映像と音声の信号を入力するケーブルＣ３，Ｃ４を介して伝送するため、テレビ受像機１１と専用外部機器１４′とを接続する特別な制御線等も不要となり、全体の構成を簡略化できる。
【０１１１】
さらに、上記実施の形態では、専用外部機器１４′の電源が投入されたことを検出した場合に自動的に専用外部機器１４′からの映像と音声を視聴するべく切換選択を行なうものとしたため、速やかに専用外部機器１４′から提供される映像と音声とを視聴することが可能となる。
【０１１２】
なお、上記実施の形態では示さなかったが、テレビ受像機１１の電源を切断する時点で外部入力ジャック１３に接続された専用外部機器１４′がまだ電源が投入されている場合には、併せて専用外部機器１４′の電源も切断するような操作信号を出力するものとしてもよい。
【０１１３】
こうしてテレビ受像機１１の電源切断と共に専用外部機器１４′の電源も併せて切断することで、ユーザの手間を省き、専用外部機器１４′の電源切断を忘れてしまうこともなく、結果としてユーザの使い勝手をより向上することができる。
【０１１４】
（第４の実施の形態）  
以下本発明に係る浴室用液晶テレビ受像機の第４の実施の形態について図面を参照して説明する。
【０１１５】
なお、設置場所を含めた全体の構成については上記図１と、テレビ受像機の外観構成については上記図２と、また外部入力ジャックの外観構成については上記図３とそれぞれ基本的に同様であるものとし、同一部分には同一符号を用いるものとしてそれらの図示と説明とを省略する。
【０１１６】
さらに、テレビ受像機１１と、このテレビ受像機１１の専用となる外部機器１４′とを接続するケーブルの具体的な構成例は上記図１０と、そのケーブルＣ３とＡＶケーブルＣ４の伝送信号に関する機能構成は上記図１１に示したものと同様であるものとして、同一部分には同一符号を用いるものとしてそれらの図示と説明とを省略する。
【０１１７】
上記実施の形態の動作について説明する。  
図１３は、テレビ受像機１１に内蔵され、このテレビ受像機１１全体の制御動作を司る制御部が電源投入されて以後実行する、電源の投入／切断と、専用外部機器１４′から供給される映像音声信号への切換選択の処理内容を示すものである。
【０１１８】
その当初には、キー入力部２２の「電源キー」が操作されたか否か（ステップＥ０１）、同「外部入力」キーが操作されたか否か（ステップＥ０２）、を繰返し判断することで、これらのキー操作を待機する。
【０１１９】
しかして、キー入力部２２の「電源」キーが操作されるとステップＥ０１でこれを判断し、専用外部機器１４′の電源を切断する処理、具体的には予め設定された電圧値の直流信号を上記同軸ケーブルＣ３ｃを介して出力する処理を実行した後に（ステップＥ０３）、このテレビ受像機１１自体の電源も切断し（ステップＥ０４）、以上でこの図１３の処理を終了する。
【０１２０】
また、上記ステップＥ０２でキー入力部２２の「外部入力」キーが操作されたと判断した場合には、次にその時点でテレビ放送の視聴を行なっていたか否かにより入力の選択状態を判断する（ステップＥ０５）。
【０１２１】
ここで、テレビ放送の視聴を行なっていなかったと判断した場合には、それまで専用外部機器１４′から供給される映像音声信号の視聴を行なっていたこととなるので、専用外部機器１４′に対してその電源を切断する処理、具体的には予め設定された電圧値の直流信号を上記同軸ケーブルＣ３ｃを介して出力する処理を実行した後に（ステップＥ１１）、上記「外部入力」キーの操作に対応してテレビ放送の視聴を行なうべく切換選択を実行した上で（ステップＥ１２）、再び上記ステップＥ０１からの処理に戻る。
【０１２２】
また、上記ステップＥ０５でテレビ放送の視聴を行なっていたと判断した場合には、次にその時点で専用外部機器１４′の電源が投入されているか否かを同軸ケーブル３ｂを介して伝送されてくる専用外部機器１４′の電源投入状態に応じた直流信号のレベルにより検出する（ステップＥ０６）。
【０１２３】
ここで、すでに専用外部機器１４′の電源が投入されていると判断した場合には、そのまま専用外部機器１４′からの映像と音声を視聴するべく切換選択を実行し（ステップＥ１０）、その後に上記ステップＥ０１からの処理に戻る。
【０１２４】
また、ステップＥ０６で専用外部機器１４′の電源が投入されていないと判断した場合には、専用外部機器１４′に対してその電源を投入する処理、具体的には予め設定された電圧値の直流信号を上記同軸ケーブルＣ３ｃを介して専用外部機器１４′側に出力する処理を実行する（ステップＥ０７）。
【０１２５】
その後、その信号出力により専用外部機器１４′の電源投入がなされたことを確認するべく上記ステップＥ０６と同様に判断する（ステップＥ０８）
ここで、同軸ケーブル３ｂを介して伝送されてくる直流信号が“Ｈ”レベルであり、専用外部機器１４′の電源が投入されたと判断した場合には、上記ステップＥ１０に進んで専用外部機器１４′からの映像と音声を視聴するべく切換選択を実行する。
【０１２６】
また、ステップＥ０８で電源投入を指示する信号を送信したにも拘わらず専用外部機器１４′の電源が投入されていないと判断した場合には、専用外部機器１４′が外部入力ジャック１３に接続されていない場合も含めて、専用外部機器１４′からの映像と音声を視聴することができないので、「外部入力」キーの操作に対応することができない旨を液晶表示パネル２１に例えば次の文字列  
「外部機器からの応答がないので  
切換えることができません」  
のようなガイドメッセージを一定時間表示させた上で（ステップＥ０９）、再び上記ステップＥ０１からの処理に戻る。
【０１２７】
このように、専用外部機器１４′から供給されている映像と音声を視聴する選択がなされている状態では、キー入力部２２とリモコン１５の操作により専用外部機器１４′の動作を遠隔制御可能とした。
【０１２８】
また、この専用外部機器１４′を遠隔制御させるための操作信号は、例えば印加する直流電圧値により動作を制御するものとして、映像と音声の信号を入力するケーブルＣ３，Ｃ４を介して伝送するため、テレビ受像機１１と専用外部機器１４′とを接続する特別な制御線等も不要となり、全体の構成を簡略化できる。
【０１２９】
さらに上記実施の形態では、専用外部機器１４′から供給される映像と音声を視聴するキーの操作がなされた時点で自動的に専用外部機器１４′の電源を投入し、またテレビ受像機１１の電源を切断した時点で併せて専用外部機器１４′の電源も連動して切断するものとした。
【０１３０】
したがって、必要に応じて専用外部機器１４′の電源投入と切断を自動化することができ、ユーザの手間を省いてより使い勝手を向上することができると共に、専用外部機器１４′の電源を制御する信号は、専用外部機器１４′から映像と音声の信号を入力するケーブルＣ３，Ｃ４を介して伝送するため、テレビ受像機１１と専用外部機器１４′とを接続する制御線等も不要となり、全体の構成をより簡略化することが可能となる。
【０１３１】
（第５の実施の形態）  
以下本発明に係る浴室用液晶テレビ受像機の第５の実施の形態について図面を参照して説明する。
【０１３２】
なお、設置場所を含めた全体の構成については上記図１と、テレビ受像機の外観構成については上記図２と、また外部入力ジャックの外観構成については上記図３とそれぞれ基本的に同様であるものとし、同一部分には同一符号を用いるものとしてそれらの図示と説明とを省略する。
【０１３３】
さらに、テレビ受像機１１と、このテレビ受像機１１の専用となる外部機器１４′とを接続するケーブルの具体的な構成例は上記図１０と、そのケーブルＣ３とＡＶケーブルＣ４の伝送信号に関する機能構成は上記図１１に示したものと同様であるものとして、同一部分には同一符号を用いるものとしてそれらの図示と説明とを省略する。
【０１３４】
なお、本実施の形態に係るテレビ受像機１１は、複数の種類の専用外部機器の中から１つを選択的に接続可能としており、それら複数の種類の専用外部機器それぞれを遠隔操作するための操作信号を予め固定記憶していて、それらの中から１つを選択することにより、対応する操作信号をテレビ受像機１１内の不揮発性メモリに記憶設定することで、実際に外部入力ジャック１３に接続している専用外部機器１４′をテレビ受像機１１側から遠隔操作することが可能となるものとする。
【０１３５】
上記実施の形態の動作について説明する。  
図１４は、外部入力ジャック１３に接続する専用外部機器１４′の操作信号を選択して設定する際の処理内容を示すものである。同図は、キー入力部２２の「メニュー」キーを操作して各種動作メニュー項目を液晶表示パネル２１に表示させた後、その中から「専用外部機器設定」の項目を選択した場合に実行される。
【０１３６】
その当初には、液晶表示パネル２１に専用外部機器の機種名を一覧表示した上で（ステップＦ０１）、その表示された機種名の中から１つが選択されるのを待機する（ステップＦ０２）。
【０１３７】
そして、１つの専用外部機器が選択されるとステップＦ０２でこれを判断し、次いでその専用外部機器の一連の操作信号体系を記憶するテレビ受像機１１内の不揮発メモリの記憶状態を参照し（ステップＦ０３）、すでに操作信号体系が記憶設定されているか否かを判断する（ステップＦ０４）。
【０１３８】
ここで、該不揮発メモリに操作信号体系が記憶設定されていなければ、無条件に上記ステップＳ０２で選択された専用外部機器の操作信号体系を不揮発メモリに上書きして記憶設定させ（ステップＦ０５）、以上でこの図１４の処理を終了する。
【０１３９】
また、上記ステップＦ０４で該不揮発メモリに操作信号体系がすでに記憶設定されていた場合には、このまま処理を進めるとその記憶内容が失われてしまうことを確認するために、液晶表示パネル２１に例えば  
「すでに設定されている専用外部機器があります  
新しい専用外部機器を設定すると古い内容は失われてしまいます  
設定処理を進めますか？」  
のようなガイドメッセージを表示すると共に、処理を進める場合と解除する場合双方の操作キーを明示した上で（ステップＦ０６）、それらのいずれのキーが操作されたかを判断する（ステップＦ０７）。
【０１４０】
ここで、設定を解除する場合のキー操作が実行された場合には、このまま不揮発メモリの記憶内容を変えることなくこの図１４の処理を一旦終了する。
【０１４１】
また、設定を進める場合のキー操作が実行された場合には、選択した内容通り上記ステップＦ０５に進み、その専用外部機器の操作信号体系を不揮発メモリに上書きして記憶設定させ、以上でこの図１４の処理を終了する。
【０１４２】
このように専用外部機器１４′の操作信号の選択設定を終了した後、キー入力部２２またはリモコン１５のキーを操作すると、その時テレビ受像機１１でテレビ放送を視聴している場合にはテレビ放送視聴に対応する動作が実行される一方、専用外部機器１４′から供給される映像と音声を視聴していた場合には、専用外部機器１４′の遠隔制御動作が実行されることとなる。
【０１４３】
以下、図１５によりキー入力部２２とリモコン１５のキー操作に対応する処理について説明する。
【０１４４】
同図は、テレビ受像機１１に内蔵され、このテレビ受像機１１全体の制御動作を司る制御部が電源投入されて以後実行する、キー入力部２２とリモコン１５のキーの操作に対応した処理内容を示すものである。
【０１４５】
その当初には、キー入力部２２及びリモコン１５の「電源キー」が操作されたか否か（ステップＧ０１）、同「外部入力」キーが操作されたか否か（ステップＧ０２）、またはその他のキーが操作されたか否か（ステップＧ０３）、を繰返し判断することで、いずれかのキー操作がなされるのを待機する。
【０１４６】
しかして、キー入力部２２またはリモコン１５の「電源」キーが操作されるとステップＧ０１でこれを判断し、次にテレビ受像機１１内の不揮発メモリに専用外部機器１４′の操作信号体系が記憶設定されているか否か判断する（ステップＧ０４）。
【０１４７】
ここで、記憶設定されていると判断した場合にのみ、その操作信号体系の中から電源を切断するための操作信号を読出し、専用外部機器１４′の電源を切断させる処理、具体的には操作信号で示される予め設定された電圧値の直流信号を上記同軸ケーブルＣ３ｃを介して出力する処理を実行した後に（ステップＧ０５）、このテレビ受像機１１自体の電源も切断し（ステップＧ０６）、以上でこの図１５の処理を終了する。
【０１４８】
また、上記ステップＧ０２でキー入力部２２またはリモコン１５の「外部入力」キーが操作されたと判断した場合には、その時点でテレビ放送の視聴を行なっていた場合には専用外部機器１４′からの映像と音声を視聴するように、また反対にその時点で専用外部機器１４′からの映像と音声を視聴を行なっていた場合にはテレビ放送の視聴をするように、信号の入力先を切換え選択した上で（ステップＧ０７）、再び上記ステップＧ０１からの処理に戻る。
【０１４９】
さらに、上記ステップＧ０３で「電源」キーと「外部入力」キー以外のキー操作がなされたと判断した場合には、次にその時点でテレビ放送の視聴を行なっていたか否かにより入力の選択状態を判断する（ステップＧ０８）。
【０１５０】
ここで、テレビ放送の視聴を行なっていたと判断した場合には、その操作されたキーの内容にしたがってテレビ放送の視聴に関した、例えばチャンネルの選択や音量の増減等、対応する制御動作を実行した上で（ステップＧ０９）、再び上記ステップＧ０１からの処理に戻る。
【０１５１】
また、上記ステップＧ０８でテレビ放送の視聴を行なっていなかったと判断した場合には、その時点で専用外部機器１４′からの映像と音声の視聴を行なっていたこととなるので、次にテレビ受像機１１内部の不揮発メモリに上記図１４で示した処理により専用外部機器１４′を遠隔制御するための操作信号体系が記憶設定されているか否かを判断する（ステップＧ１０）。
【０１５２】
ここで、不揮発メモリ内に対応する操作信号体系が記憶設定されていない場合には、その時点では専用外部機器１４′を遠隔制御することができないので、すみやかに上記図１４で示した当該設定を促す文字列のメッセージを液晶表示パネル２１で表示させた上で（ステップＧ１２）、再び上記ステップＧ０１からの処理に戻る。
【０１５３】
また、上記ステップＧ１１で不揮発メモリ内に対応する操作信号体系が記憶設定されていると判断した場合には、そのまま対応する操作信号を読出し、専用外部機器１４′を遠隔制御させる処理、具体的にはその操作信号で示される予め設定された電圧値の直流信号を上記同軸ケーブルＣ３ｃを介して出力する処理を実行した後に（ステップＧ１１）、再び上記ステップＧ０１からの処理に戻る。
【０１５４】
このように、予め設定された複数の専用外部機器の中から１つを選択しておくことで、その選択した専用外部機器１４′から映像音声信号が供給されている状態ではキー入力部２２またはリモコン１５のキー操作により専用外部機器１４′の動作を遠隔制御することができる。
【０１５５】
この場合も、外部入力ジャック１３に接続された専用外部機器１４′を遠隔制御させるための操作信号は、例えば印加する直流電圧値により動作を制御するものとして、映像と音声の信号を入力するケーブルＣ３，Ｃ４を介して伝送するため、テレビ受像機１１と専用外部機器１４′とを接続する特別な制御線等も不要となり、全体の構成を簡略化できる。
【０１５６】
さらに、上記実施の形態では、一度専用外部機器１４′の選択を行なってその操作信号体系を不揮発メモリに記憶設定してしまえば、テレビ受像機１１の電源が切断された状態でもその記憶内容が失われることがないため、電源を投入する毎にその都度専用外部機器１４′を選択するような手間を不要として、より使い勝手を向上することができる。
【０１５７】
なお、上記第１乃至第５の実施の形態では、テレビ受像機１１と外部入力ジャック１３を介して接続される外部機器１４（専用外部機器１４′）の具体的な内容については特に明示しなかったが、文中で映像音声信号と記載したように、映像信号及び音声信号の少なくとも一方を含み、これをテレビ受像機１１で視聴できるようなもので有ればいずれにも適用可能となる。
【０１５８】
また、上記第２の実施の形態ではテレビ受像機１１から外部機器１４を遠隔操作するに当たり、その操作信号が外部機器１４から供給される映像または音声に悪影響を与え、表示される画像あるいは拡声放音される音声中にノイズ等を生じるのを防ぐため、外部機器１４に操作信号を出力する間は一時的に悪影響を受ける可能性がある信号の出力を抑制あるいは停止するミューティング処理を行なうものとして説明したが、これは第２の実施の形態のみならず、第１及び、第３乃至第５の実施の形態のいずれでも有効である。
【０１５９】
その他、本発明は上記実施の形態に限らず、その要旨を逸脱しない範囲内で種々変形して実施することが可能であるものとする。
【０１６０】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１６１】
【図１】本発明の第１の実施の形態に係る浴室用液晶テレビ受像機の全体の設置構成を示す図。
【図２】同実施の形態に係るテレビ受像機の外観構成を示す図。
【図３】同実施の形態に係る外部入力ジャックの外観構成を示す図。
【図４】同実施の形態に係る主としてテレビ受像機の入力切換系統の回路構成を示すブロック図。
【図５】同実施の形態に係る外部入力に対する処理内容を示すフローチャート。
【図６】同実施の形態に係る他の動作例としての外部入力に対する処理内容を示すフローチャート。
【図７】本発明の第２の実施の形態に係る主としてテレビ受像機の入力切換系統の回路構成を示すブロック図。
【図８】同実施の形態に係る外部聞きリモコンコードの設定処理内容を示すフローチャート。
【図９】同実施の形態に係る具体的な他の構成例を示すブロック図。
【図１０】本発明の第３の実施の形態に係るテレビ受像機と専用外部機器とを接続するケーブルの具体的な構成例を示す図。
【図１１】同実施の形態に係るケーブルの伝送信号に関する機能構成を示す図。
【図１２】同実施の形態に係る視聴動作の切換選択に関する処理内容を示すフローチャート。
【図１３】本発明の第４の実施の形態に係る電源の投入／切断と視聴動作の切換選択に関する処理内容を示すフローチャート。
【図１４】本発明の第５の実施の形態に係る専用外部機器の選択設定の処理内容を示すフローチャート。
【図１５】同実施の形態に係る電源投入後のキー操作に対応した処理内容を示すフローチャート。
【符号の説明】
【０１６２】
１１…テレビ受像機、１２…電源ボックス、１３…外部入力ジャック、１４…外部機器、１４′…専用外部機器、１５…リモコン、２１…液晶表示パネル、２２…キー入力部、２３…スピーカ、２４…リモコン受光部、３１…入力切換回路、３２…入力信号検出回路、３３…テレビチューナ、３４…表示部、４０…赤外ＬＥＤ、４１…ＬＥＤドライバ、４２…ＣＰＵ、４３…リモコンコード記憶部、ＢＴ…バスタブ、ＢＲ…浴室、Ｃ１〜Ｃ３…ケーブル、Ｃ４…ＡＶケーブル、Ｃ３ａ〜Ｃ３ｃ，Ｃ４ａ〜Ｃ４ｃ…同軸ケーブル、Ｃ０１〜Ｃ０４，Ｃ１１〜Ｃ１４，Ｃ２１〜Ｃ２８…コンデンサ。
【図１】
2005303382.tif 000003
【図２】
2005303382.tif 000004
【図３】
2005303382.tif 000005
【図４】
2005303382.tif 000006
【図５】
2005303382.tif 000007
【図６】
2005303382.tif 000008
【図７】
2005303382.tif 000009
【図８】
2005303382.tif 000010
【図９】
2005303382.tif 000011
【図１０】
2005303382.tif 000012
【図１１】
2005303382.tif 000013
【図１２】
2005303382.tif 000014
【図１３】
2005303382.tif 000015
【図１４】
2005303382.tif 000016
【図１５】
2005303382.tif 000017